(57)【要約】【課題】この発明は、従来使用されている乗場表示灯を利用することでコストアップを抑えつつ、利用者の行先階床に向かうかごに利用者をより確実に誘導できるエレベータ管理システムを提供することを目的とするものである。【解決手段】個人認証手段８によって乗場呼び登録が有効とされ、該乗場呼び登録に１台のかごが割り当てられるとともに、該かごのかご内操作盤７の操作による行先呼び登録が有効とされるシステムにおいて、呼び割当部６２は、乗場呼び登録時に割り当てたかごよりも先に他のかごが到着する場合、乗場呼び登録に割り当てるかごを該先に到着するかごに変更し、報知制御部５３は、乗場呼び登録が行われたときには乗場表示灯３の報知動作を行わず、該乗場呼び登録に割り当てられたかごが乗場呼び登録された階床に到着したときに該かごに対応する乗場表示灯３の報知動作を行う。【選択図】図２
2008044751.tif 000002
【特許請求の範囲】
【請求項１】
複数台のかごを一群として管理するエレベータ管理システムであって、
利用者から識別情報を取得する取得部、少なくともエレベータの利用が許可されている利用者の識別情報を予め記憶している記憶部、及び上記取得部の識別情報と上記記憶部の識別情報とを照合し、個人認証を行った利用者がエレベータの利用を許可されているか否かを判定する照合部を含む個人認証手段と、
個人認証を行った利用者がエレベータの利用を許可されていると上記照合部によって判定された場合に、該個人認証が行われた階床の乗場釦装置の操作による乗場呼び登録を有効とするか、又は該個人認証が行われた階床の乗場呼び登録を自動で行い、各かごの走行方向及び位置に基づいて該乗場呼び登録に所定のかごを割り当てるとともに、上記割り当てられたかご内のかご内操作盤の操作による行先呼び登録を有効とするか、又は上記記憶部が予め記憶している各利用者の行先階床情報に基づいて上記割り当てられたかごの行先呼び登録を自動で行う呼び管理手段と、
上記複数台のかごに対応するように各階床の乗場にそれぞれ配置された複数の乗場表示灯と、
上記各乗場表示灯の報知動作を制御する報知制御手段と
を備え、
上記呼び管理手段は、乗場呼び登録に割り当てたかごよりも先に他のかごが到着する場合、乗場呼び登録に割り当てるかごを該先に到着するかごに変更し、
上記報知制御手段は、乗場呼び登録が行われたときには上記乗場表示灯の報知動作を行わず、該乗場呼び登録に割り当てられたかごが乗場呼び登録された階床に到着したときに該かごに対応する上記乗場表示灯の報知動作を行うことを特徴とするエレベータ管理システム。
【請求項２】
各かごの運行をそれぞれ制御する複数の各号機制御装置と、
上記呼び管理手段を含み、乗場呼び登録に所定のかごを割り当てた際に、該かごの運行を制御する各号機制御装置に乗場呼び割当信号を伝送する群管理制御装置と
を備え、
上記報知制御手段は、上記各号機制御装置にそれぞれ組み込まれ、上記群管理制御装置から乗場呼び割当信号が伝送され、かつ乗場呼び登録された階床にかごが到着した場合に、上記乗場表示灯の報知動作を行う報知制御部を含むことを特徴とする請求項１記載のエレベータ管理システム。
【請求項３】
各かごの運行をそれぞれ制御する複数の各号機制御装置と、
上記呼び管理手段を含み、乗場呼び登録に所定のかごを割り当てた際に、該かごの運行を制御する各号機制御装置に乗場呼び割当信号を伝送する群管理制御装置と
を備え、
上記報知制御手段は、上記群管理制御装置に組み込まれ、上記呼び管理手段からの情報に基づいて乗場呼び登録に割り当てられたかごを検出するとともに、該かごが乗場呼び登録された階床に到着した場合に、該かごの運行を制御する各号機制御装置に報知指令を伝送する報知指令部と、上記各号機制御装置にそれぞれ組み込まれ、上記報知指令部からの報知指令が伝送されたときに、上記乗場表示灯の報知動作を行う報知制御部とを含むことを特徴とする請求項１記載のエレベータ管理システム。
【請求項４】
上記複数台のかごに対応するように各階床の乗場にそれぞれ配置され、かごの到着を音によって報知する複数の音出力部をさらに備え、
上記報知制御手段は、上記各乗場表示灯の報知動作を行う場合に、上記音出力部の報知動作を行うことを特徴とする請求項１から請求項３までのいずれか１項に記載のエレベータ管理システム。
【発明の詳細な説明】
【技術分野】
【０００１】
この発明は、複数台のかごを一群として管理するエレベータ管理システムに関するものである。
【背景技術】
【０００２】
従来装置では、セキュリティ性を向上させるために、エレベータのホールにて個人認証が行われ、該利用者のエレベータの利用が許可された場合に、かごを乗場に呼ぶための乗場呼び登録、及び該利用者の行先階床を指定する行先呼び登録が自動で行われる（例えば、特許文献１参照）。
また、別の従来装置では、複数台のかごを一群として管理している建物において、建物の出入口に優先カード発券装置が設置され、優先カード発券装置によって優先カードが発行された際に、乗場呼び登録が自動で行われる。発行された優先カードには、到着号機と整理番号が記載されている。そして、各かごに対応するように乗場に設置された各表示器に整理番号を表示させることで、利用者を所定のかごに誘導している（例えば、特許文献２参照）。
【０００３】
【特許文献１】特開平２−４３１８５号公報
【特許文献２】特開２００４−２３８１１３号公報
【発明の開示】
【発明が解決しようとする課題】
【０００４】
ところで、群管理を行う一般的なエレベータ装置では、乗場呼び登録が行われたときに少なくとも１台のかごが該乗場呼び登録に割り当てられる。この割当制御を上記のような個人認証を行う従来装置にそのまま適用し、複数台のかごで行先呼び登録が自動で行われたとすると、利用者が待つ乗場に複数台のかごが同時期に到着した場合に、個人認証を行った利用者がいずれかのかごに乗り込んだ後に、個人認証を行っていない利用者が他のかごに乗って移動でき、セキュリティ性が低下してしまう。従って、セキュリティ性を高く保つためには行先呼び登録は１つのかごで行われるべきである。
また、群管理を行う一般的なエレベータ装置では、乗場呼びにかごが割り当てられたときに、該かごに対応する乗場表示灯（ホールランタン）の報知動作が行われることで、割り当てが報知される。さらに、一般的なエレベータ装置では、乗場にかごが到着したときに、かごに対応する乗場表示灯の報知動作が行われることで、かごの到着が報知される。この報知制御を上記のような個人認証を行う従来装置にそのまま適用すると、乗場呼び登録に割り当てられたかごと、利用者が待つ階床を行先階とするかごとが同時期に到着した場合に、前もって割り当てが報知されたかごに乗り込めばよいのか、他のかごに乗り込めばよいのか分かりづらく、仮に行先呼び登録されていないかごに乗り込んでしまうと行先階床に向かうことができないという問題がある。
また、上記のような別の従来装置では、利用者を所定のかごに誘導するために、専用の表示器を準備する必要があり、コスト高の要因となる。
【０００５】
この発明は、上記のような課題を解決するためになされたものであり、その目的は、従来使用されている乗場表示灯を利用することでコストアップを抑えつつ、利用者の行先階床に向かうかごに利用者をより確実に誘導できるエレベータ管理システムを提供することである。
【課題を解決するための手段】
【０００６】
この発明に係るエレベータ管理システムは、利用者から識別情報を取得する取得部、少なくともエレベータの利用が許可されている利用者の識別情報を予め記憶している記憶部、及び取得部の識別情報と記憶部の識別情報とを照合し、個人認証を行った利用者がエレベータの利用を許可されているか否かを判定する照合部を含む個人認証手段と、個人認証を行った利用者がエレベータの利用を許可されていると照合部によって判定された場合に、該個人認証が行われた階床の乗場釦装置の操作による乗場呼び登録を有効とするか、又は該個人認証が行われた階床の乗場呼び登録を自動で行い、各かごの走行方向及び位置に基づいて該乗場呼び登録に所定のかごを割り当てるとともに、割り当てられたかご内のかご内操作盤の操作による行先呼び登録を有効とするか、又は記憶部が予め記憶している各利用者の行先階床情報に基づいて割り当てられたかごの行先呼び登録を自動で行う呼び管理手段と、複数台のかごに対応するように各階床の乗場にそれぞれ配置された複数の乗場表示灯と、各乗場表示灯の報知動作を制御する報知制御手段とを備え、呼び管理手段は、乗場呼び登録に割り当てたかごよりも先に他のかごが到着する場合、乗場呼び登録に割り当てるかごを該先に到着するかごに変更し、報知制御手段は、乗場呼び登録が行われたときには乗場表示灯の報知動作を行わず、該乗場呼び登録に割り当てられたかごが乗場呼び登録された階床に到着したときに該かごに対応する乗場表示灯の報知動作を行う。
【発明の効果】
【０００７】
この発明のエレベータ管理システムによれば、呼び管理手段は、乗場呼び登録に割り当てたかごよりも先に他のかごが到着する場合、乗場呼び登録に割り当てるかごを該先に到着するかごに変更し、報知制御手段は、乗場呼び登録が行われたときには乗場表示灯の報知動作を行わず、該乗場呼び登録に割り当てられたかごが乗場呼び登録された階床に到着したときに該かごに対応する乗場表示灯の報知動作を行うので、仮に複数台のかごが同時期に到着する場合でも、より先に到着するとともに、利用者の行先階床に向かうことができるかごの到着だけを報知でき、従来使用されている乗場表示灯を利用することでコストアップを抑えつつ、利用者の行先階床に向かうかごに利用者をより確実に誘導できる。
【発明を実施するための最良の形態】
【０００８】
以下、この発明を実施するための最良の形態について、図面を参照して説明する。
実施の形態１．
図１は、この発明の実施の形態１によるエレベータ管理システムを示す構成図である。図において、エレベータの乗場には、複数の乗場出入口１、複数の乗場釦装置２、複数の乗場表示灯３が設けられている。昇降路内には、複数台のかご（図示せず）が吊り下げられている。各乗場出入口１、各乗場釦装置２、及び各乗場表示灯３は、各かごに対応するように配置されている。各かごの運行は、各号機制御装置５によってそれぞれ制御される。各号機制御装置５は、群管理制御装置６に接続されている。群管理制御装置６は、複数台のかごを一群として管理する。
【０００９】
乗場釦装置２は、各号機制御装置５を介して群管理制御装置６に接続されている。乗場釦装置２は、利用者の操作に応じて、群管理制御装置６に乗場呼び信号を入力する。即ち、乗場釦装置２が操作されることで乗場呼び登録が行われる。
【００１０】
各かご内には、かご内操作盤７がそれぞれ配置されている。かご内操作盤７は、各号機制御装置５を介して群管理制御装置６に接続されている。かご内操作盤７は、利用者の操作に応じて、群管理制御装置６に行先呼び信号を入力する。即ち、かご内操作盤７が操作されることで行先呼び登録が行われる。
【００１１】
ここで、この実施の形態の実施のエレベータ管理システムは、個人認証を行わなければエレベータを利用できないようになっている。具体的には、例えば建物の出入口及び各階床の乗場等に、利用者の個人認証を行う個人認証手段（個人認証装置）８が配置されている。群管理制御装置６は、個人認証手段８からの信号に基づいて、乗場釦装置２の操作による乗場呼び登録の有効及び無効を切り替えるとともに、かご内操作盤７の操作による行先呼び登録の有効及び無効を切り替える。
【００１２】
次に、図２は、図１のエレベータ管理システムをより具体的に示すブロック図である。なお、図２の破線部分は、別の実施の形態で説明するものである。図において、各号機制御装置５は、運転制御部５１、各号機伝送部５２、報知制御部５３を含んでいる。運転制御部５１は、群管理制御装置６からの指令に基づいてかごの運行制御を行うとともに、例えばドアの開閉、照明のオン／オフ、及び災害時の管制運転等の動作制御を行う。運転制御部５１は、かごの走行方向及び位置等のかごの動作状態を示すかご状態情報を各号機伝送部５２に入力する。各号機伝送部５２は、かご状態情報を群管理制御装置６に伝送する。報知制御部５３については、後に説明する。
【００１３】
個人認証手段８には、取得部８１、記憶部８２、及び照合部８３が含まれている。取得部８１は、識別情報（ＩＤ番号）を利用者から取得するものである。取得部８１としては、例えばＩＣカードリーダやタグリーダ等が用いられる。記憶部８２は、エレベータの利用が許可されている利用者の識別情報を予め記憶している。照合部８３は、取得部８１によって識別情報が取得された際に、該取得部８１の識別情報と記憶部８２の識別情報とを照合し、個人認証を行った利用者がエレベータの利用を許可されているか否かを判定する。照合部８３は、取得部８１の識別情報が記憶部８２の識別情報に一致すると判定した場合に、個人認証を行った利用者がエレベータの利用を許可されていると判定し、利用許可信号と、個人認証が行われた階床を示す認証階床信号とを群管理制御装置６に入力する。
【００１４】
群管理制御装置６は、呼び制御部６１、呼び割当部６２、かご状態検出部６３、及び群管理伝送部６４を含んでいる。乗場釦装置２からの乗場呼び信号と、かご内操作盤７からの行先呼び信号とは、呼び制御部６１を介して呼び割当部６２に入力される。呼び制御部６１は、個人認証手段８からの信号に基づいて、乗場釦装置２から呼び割当部６２に入力される乗場呼び信号の有効及び無効を切り替えるとともに、かご内操作盤７から呼び割当部６２に入力される行先呼び信号の有効及び無効を切り替える。つまり、呼び制御部６１は、個人認証手段８からの信号に基づいて乗場釦装置２の操作による乗場呼び登録の有効及び無効を切り替えるとともに、かご内操作盤７の操作による行先呼び登録の有効及び無効を切り替える。
【００１５】
呼び制御部６１は、個人認証手段８からの利用許可信号と認証階床信号とを検出した場合、呼び割当部６２に入力される乗場呼び信号を所定時間有効とする。かご状態検出部６３は、群管理伝送部６４を介して運転制御部５１からのかご状態情報を受信することで、かごの動作状態を検出する。また、かご状態検出部６３は、検出したかごの動作状態を呼び割当部６２に入力する。呼び割当部６２は、各かごの走行方向及び位置に基づいて、乗場呼び登録された階床に各かごが到着するのに必要な時間を算出し、該算出された時間が最も短いかごを乗場呼び登録に割り当てる。なお、走行方向には、上方向、下方向、及び停止中が含まれている。また、乗場呼び登録に割り当てられるかごの台数は１台である。また、呼び割当部６２は、乗場呼び登録にかごを割り当てた後に、該かごの運行を制御する各号機制御装置５に群管理伝送部６４を介して乗場呼び割当信号を伝送する。運転制御部５１は、呼び割当部６２からの乗場呼び割当信号に基づいて、乗場呼び登録された階床にかごを配車する。
【００１６】
また、呼び割当部６２は、乗場呼び登録に割り当てられた号機を示す割当かご情報をかご状態検出部６３に入力する。かご状態検出部６３は、乗場呼び登録に割り当てられたかごの動作状態を呼び制御部６１に入力する。呼び制御部６１は、乗場呼び登録に割り当てられたかごが乗場呼び登録された階床に到着したときに、呼び割当部６２に入力される行先呼び信号を有効とする。つまり、かご内操作盤７の操作による行先呼び登録を有効とされるかごは、乗場呼び登録に割り当てられた１台のかごだけである。なお、行先呼び登録を有効とされる期間は、例えば、かごが行先階に到着するまで、及び行先呼びが登録まで等と任意に設定できる。呼び割当部６２は、該行先呼び登録に応じて、かご内操作盤７が操作されたかごの各号機制御装置５に群管理伝送部６４を介して行先呼び割当信号を伝送する。運転制御部５１は、群管理制御装置６からの行先呼び割当信号に基づいて、利用者の行先階床にかごを配車する。
【００１７】
ここで、利用者が待つ階床には、乗場呼び登録に割り当てたかごの他に、該階床を行先階として配車されたかごが到着する可能性もある。また、配車途中に行先呼び登録が該階床の近傍に変更され、乗場呼び登録時に割り当てたかごよりも先に他のかごが到着できる場合もある。呼び割当部６２は、乗場呼び登録にかごを割り当てた後に、各かごの動作状態を監視し、乗場呼び登録に割り当てたかごよりも先に他のかごが到着する場合、乗場呼び登録に割り当てるかごを該先に到着するかごに変更する。具体的には、呼び割当部６２は、乗場呼び登録に所定のかごを割り当てた後に、該かごの運転制御を行う各号機制御装置５に乗場呼び割当信号を伝送し続けるとともに、そのときの割当かご情報をかご状態検出部６３に入力し続ける。呼び割当部６２は、乗場呼び登録時に割り当てたかごよりも先に他のかごが到着する場合、乗場呼び割当信号の伝送先を変更するとともに、新しい割当かご情報をかご状態検出部６３に入力する。即ち、かご内操作盤７の操作による行先呼び登録を有効とされるかごが、先に到着するかごに変更される。
【００１８】
報知制御部５３は、運転制御部５１のかご状態情報に基づいて、乗場呼び登録に割り当てられたかごが乗場呼び登録された乗場に到着するか否かを判定する。また、報知制御部５３は、呼び割当部６２からの乗場呼び割当信号が伝送され、かつ乗場呼び登録された乗場にかごが到着したと判定した場合に、乗場表示灯３の報知動作（点滅又は点灯）を行う。即ち、乗場呼び登録時には、報知制御部５３は、乗場表示灯３の報知動作を行わず、かごの割り当てを報知しない。なお、呼び制御部６１は、乗場呼び及び行先呼びが登録されたときに、乗場釦装置２及びかご内操作盤７の応答動作を行う。具体的には、呼び制御部６１は、乗場釦装置２及びかご内操作盤７に設けられた釦を点灯させる。
【００１９】
なお、この実施の形態では、呼び管理手段は呼び制御部６１及び呼び割当部６２を含んでおり、報知制御手段は報知制御部５３を含んでいる。
【００２０】
次に、動作について説明する。図３は、図２の個人認証手段８及び群管理制御装置６が行う報知割当動作を示すフローチャートである。図において、エレベータ管理システム全体の電源が投入されると、取得部８１によって識別情報が取得されるか否かが照合部８３によって判定され（ステップＳ１）、識別情報が取得されたと判定された場合に、取得された識別情報と記憶部８２の識別情報とが照合部８３によって照合され、個人認証を行った利用者がエレベータの利用を許可されているか否かが判定される（ステップＳ２）。
【００２１】
このとき、エレベータの利用が許可されていると判定された場合、個人認証手段８から群管理制御装置６に利用許可信号と認証階床情報とが入力され、該個人認証が行われた階床の乗場呼び登録が呼び制御部６１によって有効とされる（ステップＳ３）。
【００２２】
その次に、所定時間内に乗場呼びが登録されるかが呼び制御部６１によって判定され（ステップＳ４）、乗場呼びが登録された場合、呼び割当部６２によって該乗場呼び登録に所定のかごが割り当てられるとともに（ステップＳ５）、該呼び割当部６２から、乗場呼び登録に割り当てられたかごの運行を制御する各号機制御装置５に群管理伝送部６４を介して乗場呼び割当信号が伝送される（ステップＳ６）。
【００２３】
その次に、かご状態検出部６３が検出したかごの動作状態に基づいて、乗場呼び登録に割り当てられたかごが乗場呼び登録された階床に到着したか否かが呼び割当部６２によって判定され（ステップＳ７）、該かごが該階床に到着したと判定された場合、乗場呼び割当信号の伝送が終了され（ステップＳ８）、この報知割当動作が終了される。
【００２４】
これに対して、乗場呼び登録に割り当てられたかごが乗場呼び登録された階床に到着していないと判定された場合、該かごよりも先に他のかごが到着するか否かが呼び割当部６２によって判定され（ステップＳ９）、他のかごが先に到着すると判定された場合、乗場呼び割当信号の伝送先が変更される（ステップＳ１０）。なお、この報知割当動作は、エレベータ管理システム全体の電源が投入されている間は繰り返し行われる。
【００２５】
次に、図４は、図２の報知制御部５３が行う報知制御動作を示すフローチャートである。図において、エレベータ管理システム全体の電源が投入されると、群管理制御装置６からの乗場呼び割当信号の伝送が有るか否かが判定される（ステップＳ２１）。このとき、乗場呼び割当信号の伝送が有ると判定された場合、乗場呼び登録された階床にかごが到着したか否かが判定され（ステップＳ２２）、到着していないと判定された場合、乗場呼び割当信号が伝送され続けているか否かが再度判定される。仮に、かごの配車途中に割当変更等があった場合、乗場呼び割当信号の伝送が無くなり、この報知制御動作が終了される。
【００２６】
これに対して、乗場呼び割当信号が伝送されている間にかごが目的階に到着したと判定された場合、乗場表示灯３の点滅（報知動作）が行われる（ステップＳ２３）。かごが乗場に到着した場合、運転制御部５１によって戸開動作が行われるとともに戸閉動作が所定時間後に行われ、運転制御部５１からの情報に基づいて戸閉動作が完了したか否かが報知制御部５３によって判定される（ステップＳ２４）。このとき、戸閉動作が完了していないと判定された場合、乗場表示灯３の点滅が継続して行われ、戸閉動作が完了したと判定された場合、乗場表示灯３の消灯が行われる（乗場表示灯３の報知動作が終了される）（ステップＳ２５）。
【００２７】
このようなエレベータ管理システムでは、呼び割当部６２は、乗場呼び登録時に割り当てたかごよりも先に他のかごが到着する場合、乗場呼び登録に割り当てるかごを該先に到着するかごに変更し、報知制御部５３は、乗場呼び登録が行われたときには乗場表示灯３の報知動作を行わず、該乗場呼び登録に割り当てられたかごが乗場呼び登録された階床に到着したときに該かごに対応する乗場表示灯３の報知動作を行うので、仮に複数台のかごが同時期に到着する場合でも、より先に到着するとともに、利用者の行先階床に向かうことができるかごの到着だけを報知でき、従来使用されている乗場表示灯を利用することでコストアップを抑えつつ、利用者の行先階床に向かうかごに利用者をより確実に誘導できる。
【００２８】
また、各号機制御装置にそれぞれ組み込まれた報知制御部５３は、群管理制御装置６から乗場呼び割当信号が入力されており、かつ乗場呼び登録された階床にかごが到着した場合に乗場表示灯３の報知動作を行うので、かごが到着した場合により確実に乗場表示灯３の報知動作を行うことができる。
【００２９】
なお、実施の形態１では、個人認証手段８は、ＩＤ番号を用いて個人認証を行うと説明したが、利用者によって入力される暗証番号や利用者の生体情報を用いて個人認証を行うものでもよい。
【００３０】
実施の形態２．
図２を用いて、この発明の実施の形態２によるエレベータ管理システムの構成を説明する。実施の形態１では、かごが乗場に到着したことを乗場表示灯３だけで報知すると説明したが、例えば視覚障害者等、乗場表示灯３の認識が困難な利用者の為に、音声による報知を行ってもよい。即ち、この実施の形態２では、音声出力部である複数のスピーカ９が各かごに対応するように乗場に設けられている。報知制御部５３は、乗場表示灯３の報知動作を行う場合に、スピーカ９の報知動作を行う。具体的には、各号機制御装置５には、例えば「こちらにかごが到着しました」等のアナウンス情報を記憶している音声記憶部（図示せず）が設けられている。報知制御部５３は、乗場表示灯３の報知動作を行う場合に、音声記憶部のアナウンス情報を取得するとともに、該アナウンス情報をスピーカ９に入力する。
【００３１】
このようなエレベータ管理システムでは、報知制御部５３は、乗場表示灯３の報知動作を行う場合に、スピーカ９の報知動作を行うので、乗場表示灯３の認識が困難な利用者をより確実に誘導でき、利用者の利便性を向上させることができる。
【００３２】
実施の形態３．
図５は、この発明の実施の形態３によるエレベータ管理システムを示すブロック図である。図において、この実施の形態３の群管理制御装置６ａは、実施の形態１，２の群管理制御装置６に報知指令部６５が追加されたものである。実施の形態１，２では、群管理制御装置６は呼びの割当を行うだけで、どのタイミングで報知動作を行うかは複数の各号機制御装置５の報知制御部５３がそれぞれ決定していたが、この実施の形態３では、群管理制御装置６ａの報知指令部６５が該タイミングを決定する。
【００３３】
呼び割当部６２は、乗場呼び登録に所定のかごを割り当てた場合、割当かご情報を報知指令部６５に入力する。報知指令部６５は、呼び割当部６２からの割当かご情報に基づいて、乗場呼び登録に割り当てられたかごを検出する。また、報知指令部６５は、該かごが目的階に到着するか否かを判定し、到着したと判定した場合に、該かごの運行を制御する各号機制御装置５に、群管理伝送部６４を介して報知指令を伝送する。さらに、報知指令部６５は、かご状態検出部６３からの情報に基づいて、乗場呼び登録に割り当てられたかごの戸開動作が行われた後に戸閉動作が完了するか否かを判定し、戸閉動作が完了した場合に報知指令の伝送を終了する。各号機制御装置５ａの報知制御部５３ａは報知指令部６５からの報知指令が入力されたときに乗場表示灯３の報知動作を行う。呼び割当部６２が伝送する乗場呼び割当信号は、乗場表示灯３の報知動作に用いられず、かごの運行制御にだけ用いられる。この実施の形態では、報知制御手段は、報知制御部５３ａ及び報知指令部６５を含んでいる。
【００３４】
次に、動作について説明する。図６は、個人認証手段８及び群管理制御装置６ａが行う報知割当動作を示すフローチャートである。図において、乗場呼び登録に所定のかごが割り当てられる（ステップＳ５）までは図３の報知割当動作と同様である。乗場呼び登録に所定のかごが割り当てられると、かご状態検出部６３が検出したかごの動作状態に基づいて、乗場呼び登録に割り当てられたかごが乗場呼び登録された階床に到着したか否かが報知指令部６５によって判定され（ステップＳ３１）、該かごが該階床に到着したと判定された場合、該かごの運行を制御する各号機制御装置５ａに報知指令の伝送が開始されるとともに（ステップＳ３２）、該かごでの戸閉動作が完了されるか否かが判定され（ステップＳ３３）、戸閉動作が完了したと判定された場合に、報知指令の伝送が終了される（ステップＳ３４）。
【００３５】
これに対して、乗場呼び登録に割り当てられたかごが乗場呼び登録された階床に到着していないと判定された場合、該かごよりも先に他のかごが到着するか否かが報知指令部６５によって判定され（ステップＳ３５）、他のかごが先に到着すると判定された場合、報知指令の伝送先が変更される（ステップＳ３６）。
【００３６】
次に、図７は、図５の報知制御部５３ａが行う報知制御動作を示すフローチャートである。図において、エレベータ管理システム全体の電源が投入されると、群管理制御装置６ａからの報知指令の伝送が有るか否かが判定され（ステップＳ４１）、報知指令の伝送が有ると判定された場合、乗場表示灯３の点滅（報知動作）が行われる（ステップＳ４２）。これに対して、報知指令の伝送が無いと判定された場合、乗場表示灯３の消灯が行われる（報知動作が行われない）（ステップＳ４３）。
【００３７】
このようなエレベータ管理システムでは、報知指令部６５は、呼び割当部６２からの割当かご情報に基づいて、乗場呼び登録に割り当てられたかごを検出するとともに、該かごが目的階に到着した場合に、該かごの運行を制御する各号機制御装置５に報知指令を伝送し、報知制御部５３ａは、報知指令部から報知指令が伝送されたときに乗場表示灯３の報知動作を行うので、群管理制御装置６ａで各かごに対応する乗場表示灯３の報知タイミングを制御でき、例えば、階床によって乗場表示灯３の報知動作を実施したり、しなかったりする場合に、群管理制御装置６ａだけをそのように設定することで対応でき、各号機制御装置５ａを個々に設定する場合に比べて仕様変更に容易に対応できる。
【００３８】
なお、実施の形態３では、報知指令部６５は、報知動作を行うときに報知指令を伝送し続けると説明したが、報知動作を開始するときに報知指令を入力し、報知動作を終了させるときに報知解除指令を入力するようにしてもよい。
【００３９】
また、実施の形態３では、乗場表示灯３の報知動作を説明したが、該報知動作に加えて、実施の形態２と同様にスピーカ９の報知動作を行ってもよい。
【００４０】
さらに、実施の形態１〜３では、乗場呼び登録に割り当てられたかごが乗場呼び登録された階床に到着した際に、該かごのかご内操作盤７の操作による行先呼び呼び登録を有効とすると説明し、全階床の行先指定を許可するように説明したが、利用者の行先階を示す行先階情報を記憶部８２に予め記憶させて、該行先階への行先呼び呼び登録のみを有効としてもよい。
【００４１】
さらにまた、実施の形態１〜３では、個人認証を行った利用者がエレベータの利用を許可されていると照合部８３によって判定された場合に、乗場釦装置２の操作による乗場呼び登録を有効とすると説明したが、呼び制御部６１が乗場呼び登録を自動で行ってもよい。即ち、乗場釦装置２を省略してもよい。
【００４２】
また、実施の形態１〜３では、個人認証を行った利用者がエレベータの利用を許可されていると照合部８３によって判定された場合に、かご内操作盤７の操作による行先呼び登録を有効とすると説明したが、利用者の行先階を示す行先階情報を記憶部８２に予め記憶させて、該行先階情報に基づいて呼び制御部６１が乗場呼び登録を自動で行ってもよい。即ち、かご内操作盤７を省略してもよい。つまり、乗場釦装置２とかご内操作盤７との両方を省略してもよい。
【図面の簡単な説明】
【００４３】
【図１】この発明の実施の形態１によるエレベータ管理システムを示す構成図である。
【図２】図１のエレベータ管理システムをより具体的に示すブロック図である。
【図３】図２の個人認証手段及び群管理制御装置が行う報知割当動作を示すフローチャートである。
【図４】図２の報知制御部が行う報知制御動作を示すフローチャートである。
【図５】この発明の実施の形態３によるエレベータ管理システムを示すブロック図である。
【図６】個人認証手段及び群管理制御装置が行う報知割当動作を示すフローチャートである。
【図７】図５の報知制御部が行う報知制御動作を示すフローチャートである。
【符号の説明】
【００４４】
２  乗場釦装置、３  乗場表示灯、５，５ａ  各号機制御装置、６，６ａ  群管理制御装置、７  かご内操作盤、８  個人認証手段、９  スピーカ（音出力部）、５３，５３ａ  報知制御部、６１  呼び制御部、６２  呼び割当部、６５  報知指令部、８１  取得部、８２  記憶部、８３  照合部。
【図１】
2008044751.tif 000003
【図２】
2008044751.tif 000004
【図３】
2008044751.tif 000005
【図４】
2008044751.tif 000006
【図５】
2008044751.tif 000007
【図６】
2008044751.tif 000008
【図７】
2008044751.tif 000009